(57)【要約】【課題】簡単にドレン通水試験及びドレンアップポンプ試験を同時に行うことができるドレン排水試験装置を提供する。【解決手段】ドレン排水試験装置１０は、検査用水をドレンパン２１に供給する給水ポンプ１１と、ドレンパン２１に供給する検査用水の量を設定する水量設定手段１２と、ドレンパン２１に供給する検査用水の量が水量設定手段１２により設定された設定値に達した時に、ドレンパン２１への検査用水の供給を停止する停止手段１３と、仮設電源３０から供給される電気を１００Ｖから２００Ｖに昇圧して空調機２０に供給するための変圧器１６とを備えている。ドレンパン２１に容易に自動で検査用水を供給することができると共に、受電前に、２００Ｖの電気を空調機２０に供給することができる。【選択図】図１
0003224926.tif 000002
【実用新案登録請求の範囲】
【請求項１】
ドレンパンに溜まったドレンをドレンアップポンプで排水するドレンアップ機能を有する空調機を設置する際に、ドレン排水の試験を行うドレン排水試験装置であって、
検査用水を前記ドレンパンに供給する給水ポンプと、
前記ドレンパンに供給する検査用水の量を設定する水量設定手段と、
前記ドレンパンに供給する検査用水の量が前記水量設定手段により設定された設定値に達した時に、前記ドレンパンへの検査用水の供給を停止する停止手段と、
仮設電源から供給される電気を１００Ｖから２００Ｖに昇圧して前記空調機に供給するための変圧器と
を備えたことを特徴とするドレン排水試験装置。
【請求項２】
前記給水ポンプからの検査用水を前記ドレンパンに供給する給水ホースと、
前記変圧器により昇圧した電気を前記空調機に供給する空調機用電線部材と
を備えたことを特徴とする請求項１記載のドレン排水試験装置。
【請求項３】
前記給水ポンプ、前記水量設定手段、前記停止手段、及び、前記変圧器を収納し、これらを一体として持ち運び可能とする収納ケースを備えたことを特徴とする請求項１又は請求項２記載のドレン排水試験装置。
【考案の詳細な説明】
【技術分野】
【０００１】
本考案は、ドレンアップ機能を有する空調機を設置する際に、ドレン排水について試験をするドレン排水試験装置に関する。
【背景技術】
【０００２】
近年、天井内に配置されたり、天井に埋め込まれるタイプの空調機が広く用いられている。これらの空調機は、例えば、冷却コイルに生じる結露水を貯留するドレンパンと、このドレンパンに溜まったドレンを排水管に排水する下降勾配が設けられたドレン管と、ドレンパンからドレン管にドレンを揚水するドレンアップポンプとを備えたものが知られている（例えば、特許文献１参照）。
【０００３】
このような空調機では、設置の際に、ドレン管の勾配不足や、ドレン管の接続不備等によりドレンの水漏れがないかどうかを確認するドレン通水試験を行っている。ドレン通水試験としては、例えば、従来は、空調機を設置しドレン管を配管した後、天井などの内装を汚さないように内装工事を行う前に、水を入れた容器からドレン管に注水し、水漏れの有無を確認していた。また、ドレンアップポンプを使用する空調機では、ドレン通水試験に加えて、ドレンアップポンプの動作を確認するドレンアップポンプ試験も行っている。
【先行技術文献】
【特許文献】
【０００４】
【特許文献１】特開平１１−１４１５００号公報
【考案の概要】
【考案が解決しようとする課題】
【０００５】
しかしながら、従来のドレン通水試験では、水を入れた容器を用いて空調機に通水するので、作業が煩雑であり、また、作業台上での高所作業を繰り返すので、墜落の危険性もあるという問題があった。更に、ドレン通水試験は内装工事の前に行うが、ドレンアップポンプ試験は空調機に２００Ｖの電源供給が必要となるので、受電後でなければ実施することができず、ドレン通水試験とは別に行わなければならないという問題もあった。加えて、ドレンアップポンプ試験により万が一漏水した場合には、天井の張替えをしなければならないという問題もあった。
【０００６】
本考案は、このような問題に基づきなされたものであり、簡単にドレン通水試験及びドレンアップポンプ試験を同時に行うことができるドレン排水試験装置を提供することを目的とする。
【課題を解決するための手段】
【０００７】
本考案のドレン排水試験装置は、ドレンパンに溜まったドレンをドレンアップポンプで排水するドレンアップ機能を有する空調機を設置する際に、ドレン排水の試験を行うものであって、検査用水をドレンパンに供給する給水ポンプと、ドレンパンに供給する検査用水の量を設定する水量設定手段と、ドレンパンに供給する検査用水の量が水量設定手段により設定された設定値に達した時に、ドレンパンへの検査用水の供給を停止する停止手段と、仮設電源から供給される電気を１００Ｖから２００Ｖに昇圧して空調機に供給するための変圧器とを備えたものである。
【考案の効果】
【０００８】
本考案によれば、検査用水をドレンパンに供給する給水ポンプを備えるようにしたので、水を入れた容器を用いて作業台上での高所作業をする必要がなく、床面等から検査用水をドレンパンに容易に供給することができる。また、検査用水の供給量を設定する水量設定手段と、検査用水の供給量が設定値に達した時に検査用水の供給を停止する停止手段とを備えるようにしたので、供給量を目視で確認する必要がなく、自動で行うことができる。
【０００９】
更に、仮設電源から供給される電気を１００Ｖから２００Ｖに昇圧して空調機に供給するための変圧器を備えるようにしたので、受電前であっても、空調機の運転に必要な２００Ｖの電気を供給し、ドレンアップポンプを稼働させることができる。よって、ドレンアップポンプの動作を確認するドレンアップポンプ試験と、水漏れの有無を確認するドレン通水試験とを同時に行うことができる。加えて、受電前である内装工事前に試験することができるので、試験のピークシフトを図ることができると共に、試験時に万が一水漏れしたとしても天井材の水損事故を防止することができる。
【００１０】
更にまた、給水ポンプ、水量設定手段、停止手段、及び、変圧器を収納する収納ケースを備えるようにすれば、工事現場への持ち運びを容易とすることができると共に、必要なものを一体として運ぶことができるので、簡便に試験を行うことができる。
【図面の簡単な説明】
【００１１】
【図１】本考案の一実施の形態に係るドレン排水試験装置の概略構成を表す図である。
【図２】図１に示したドレン排水試験装置の筐体内の構成を表す図である。
【図３】図１に示したドレン排水試験装置の他の構成を表す図である。
【考案を実施するための形態】
【００１２】
以下、本考案の実施の形態について、図面を参照して詳細に説明する。
【００１３】
図１は、本考案の一実施の形態に係るドレン排水試験装置１０の構成を表すものである。このドレン排水試験装置１０は、例えば、図１に示したような空調機２０を設置する際にドレン排水の試験を行うものである。空調機２０は、例えば、冷却コイルに生じる結露水を貯留するドレンパン２１と、このドレンパン２１に溜まったドレンを揚水するドレンアップポンプ２２と、ドレンアップポンプ２２により揚水したドレンを排水管２３に排水するドレン管２４とを備え、ドレンパン２１に溜まったドレンをドレンアップポンプ２２で排水するドレンアップ機能を有している。
【００１４】
ドレン排水試験装置１０は、例えば、空調機２０を設置し、ドレン管２４を配管した後に、天井などの内装工事及び空調機への給電工事前に、ドレン排水の試験を行うものである。ドレン排水試験装置１０は、検査用水をドレンパン２１に供給する給水ポンプ１１と、ドレンパン２１に供給する検査用水の量を設定する水量設定手段１２と、ドレンパン２１に供給する検査用水の量が水量設定手段１２により設定された設定値に達した時に、ドレンパン２１への検査用水の供給を停止する停止手段１３とを備えている。
【００１５】
水量設定手段１２及び停止手段１３は、例えば、筐体１４に収納されており、給水ポンプ１１は、例えば、筐体１４の外に設けられている。給水ポンプ１１の吸入側には、例えば、検査用水源に接続する吸入ホース１１Ａが着脱可能に接続される。検査用水源としては、例えば、バケツ等の水源容器１１Ｂに水を入れて用いることができる。給水ポンプ１１の吐出側には、例えば、検査用水を停止手段１３に送る接続ホース１１Ｃが着脱可能に接続される。
【００１６】
水量設定手段１２は、例えば、任意の流量を設定することができる設定画面や設定ダイヤルを有しており、停止手段１３と接続され、設定された設定値が停止手段１３に送られるようになっている。
【００１７】
停止手段１３は、例えば、給水ポンプ１１から送られた検査用水を案内する導管１３Ａを有している。導管１３Ａの一方の端部には、例えば、給水ポンプ１１を接続ホース１１Ｃにより接続するための継手が設けられ、他方の端部には、例えば、給水ポンプ１１からの検査用水をドレンパン２１に供給する給水ホース１５を接続するための継手が設けられている。これらの継手は、筐体１４の表面に設けられており、接続ホース１１Ｃ及び給水ホース１５は、導管１３Ａに対し継手を介して着脱可能とされていることが好ましい。
【００１８】
停止手段１３は、また、例えば、導管１３を流れる検査用水の流量を測定する流量計１３Ｂと、導管１３を開閉する電磁弁１３Ｃと、検査用水の逆流を防止する逆止弁１３Ｄと、電磁弁１３Ｃの開閉を制御する制御部１３Ｅとを有していることが好ましい。制御部１３Ｂは、例えば、水量設定手段１２、流量計１３Ｂ、及び、電磁弁１３Ｃとそれぞれ接続されており、流量計１３Ｂにより測定した検査用水の流量が水量設定手段１２により設定された設定値に達した時に、電磁弁１３Ｃを閉鎖するように構成されている。
【００１９】
ドレン排水試験装置１０は、また、仮設電源３０から供給される電気を１００Ｖから２００Ｖに昇圧して空調機２０に供給するための変圧器１６を備えている。ドレンアップポンプ２２の稼働に必要な２００Ｖの電気を供給するためである。変圧器１６は、例えば、筐体１４の内部に収納されている。
【００２０】
変圧器１６には、例えば、仮設電源３０から１００Ｖの電気を供給するための電源用電線部材１６Ａが接続されており、筐体１４の外側に引き出されて設けられている。電源用電線部材１６Ａは、例えば、筐体１４に対して着脱可能とされていてもよい。また、変圧器１６には、例えば、変圧器１６により昇圧した２００Ｖの電気を空調機２０に供給するための空調機用電線部材１６Ｂが接続されており、筐体１４の外側に引き出されて設けられている。空調機用電線部材１６Ｂは、筐体１４に対して着脱可能とされていることが好ましい。
【００２１】
ドレン排水試験装置１０は、例えば、図３に示したように、給水ポンプ１１と、筐体１４に収納された水量設定手段１２、停止手段１３、及び、変圧器１６とを収納し、これらを一体として持ち運び可能とする収納ケース１７を備えていることが好ましい。持ち運びを容易とすることができるからである。収納ケース１７は、開閉口を有しており、内部に給水ポンプ１１及び筐体１４を収納したり、取り出したりできるようになっている。また、収納ケース１７には、例えば、これらに加えて、吸入ホース１１Ａ、接続ホース１１Ｃ、給水ホース１５、電源用電線部材１６Ａ、及び、空調機用電線部材１６Ｂについても一緒に、収納可能とされていることが好ましい。
【００２２】
このドレン排水試験装置１０は、例えば、空調機２０の設置現場において、ドレン排水の試験を行う際に用いられる。ドレン排水の試験は、例えば、空調機２０を設置し、ドレン管２４を配管した後に、天井などの内装工事及び空調機２０への給電工事の前に行う。
【００２３】
まず、例えば、水源容器１１Ｂに水を入れ、給水ポンプ１１に吸入ホース１１Ａの一端部を接続し、吸入ホース１１の他端部を水源容器１１Ｂの水中に挿入する。次いで、例えば、給水ポンプ１１に接続ホース１１Ｃの一端部を接続すると共に、接続ホース１１Ｃの他端部を停止手段１３の導管１３Ａに接続する。続いて、例えば、停止手段１３の導管１３Ａに給水ホース１５の一端部を接続すると共に、給水ホース１５の他端部を空調機２０に接続する。次に、例えば、変圧器１６を空調機用電線部材１６Ｂにより空調機２０と電気的に接続すると共に、電減容電線部材１６Ａにより仮設電源３０と電気的に接続する。
【００２４】
そののち、水量設定手段１２により、ドレンパン２１に供給する検査用水の量を設定し、給水ポンプ１１を作動させて、検査用水をドレンパン２１に供給する。その際、ドレンパン２１に供給する検査用水の量は流量計１３Ｂにより測定され、制御部１３Ｅにより監視される。制御部１３Ｅは、流量計１３Ｂにより測定された検査用水の量が水量設定手段１２により設定された設定値に達すると、電磁弁１３Ｃを閉鎖し、検査用水のドレンパン２１への供給を停止する。
【００２５】
次いで、変圧器１６を作動させ、仮設電源３０から供給される電気を１００Ｖから２００Ｖに昇圧して空調機２０に供給し、ドレンアップポンプ２２を作動させて、ドレンパンに供給した検査用水をドレン管２４に揚水する。これにより、ドレンアップポンプ２２の動作を確認するドレンアップポンプ試験と、水漏れの有無を確認するドレン通水試験とが同時に行われる。
【００２６】
このように本実施の形態によれば、検査用水をドレンパン２１に供給する給水ポンプ１１を備えるようにしたので、水を入れた容器を用いて作業台上での高所作業をする必要がなく、床面等から検査用水をドレンパン２１に容易に供給することができる。また、検査用水の供給量を設定する水量設定手段１２と、検査用水の供給量が設定値に達した時に検査用水の供給を停止する停止手段１３とを備えるようにしたので、供給量を目視で確認する必要がなく、自動で行うことができる。
【００２７】
更に、仮設電源３０から供給される電気を１００Ｖから２００Ｖに昇圧して空調機２０に供給するための変圧器１６を備えるようにしたので、受電前であっても、空調機２０の運転に必要な２００Ｖの電気を供給し、ドレンアップポンプ２２を稼働させることができる。よって、ドレンアップポンプ２２の動作を確認するドレンアップポンプ試験と、水漏れの有無を確認するドレン通水試験とを同時に行うことができる。加えて、受電前である内装工事前に試験することができるので、試験のピークシフトを図ることができると共に、試験時に万が一水漏れしたとしても天井材の水損事故を防止することができる。
【００２８】
更にまた、給水ポンプ１１、水量設定手段１２、停止手段１３、及び、変圧器１６を収納する収納ケース１７を備えるようにすれば、工事現場への持ち運びを容易とすることができると共に、必要なものを一体として運ぶことができるので、簡便に試験を行うことができる。
【００２９】
以上、実施の形態を挙げて本考案を説明したが、本考案は上記実施の形態に限定されるものではなく、種々変形可能である。例えば、上記実施の形態では、各構成要素について具体的に説明したが、全ての構成要素を備えていなくてもよく、また、他の構成要素を備えていてもよい。
【符号の説明】
【００３０】
１０…ドレン排水試験装置、１１…給水ポンプ、１１Ａ…吸入ホース、１１Ｂ…水源容器、１１Ｃ…接続ホース、１２…水量設定手段、１３…停止手段、１３Ａ…導管、１３Ｂ…流量計、１３Ｃ…電磁弁、１３Ｄ…逆止弁、１３Ｅ…制御部、１４…筐体、１５…給水ホース、１６…変圧器、１６Ａ…電源用電線部材、１６Ｂ…空調機用電線部材、１７…収納ケース、２０…空調機、２１…ドレンパン、２２…ドレンアップポンプ、２３…排水管、２４…ドレン管。３０…仮設電源
【図１】
0003224926.tif 000003
【図２】
0003224926.tif 000004
【図３】
0003224926.tif 000005